(57)【特許請求の範囲】
【請求項１】
吸引口がポンプ本体の下部側に、吐出口がポンプ本体の上部側に設けられたポンプと、
前記ポンプの吸引口を覆うフィルタと、該フィルタへの付着物を収納する、前記ポンプの下方位置に設置された収納容器と、    
前記ポンプと収納容器との間に設けられ、ポンプの作動時振動を許容する振動許容部材と、
を備え、
前記フィルタへの付着物は、前記ポンプの作動時震動により離脱し収納容器へ収納される、
ことを特徴とする排出ポンプ装置。
【請求項２】
吸引口がポンプ本体の下部側に、吐出口がポンプ本体の上部側に設けられたポンプと、
前記ポンプの吸引口を覆うフィルタと、該フィルタへの付着物を回収すると共に外部排水を貯留する、前記ポンプの下方位置に設置された収納容器と、    
前記ポンプと収納容器との間に設けられ、ポンプの作動時振動を許容する振動許容部材と、
を備え、
前記フィルタへの付着物は、前記外部排水中に浸されたフィルタから前記付着物が前記ポンプの作動時震動により離脱し収納容器へ収納される、
ことを特徴とする排出ポンプ装置。
【請求項３】
前記ポンプはダイヤフラムポンプであることを特徴とする請求項１または請求項２記載の排出ポンプ装置。
【請求項４】
前記フィルタは燒結金属で構成された、
ことを特徴とする請求項１、請求項２または請求項３記載の排出ポンプ装置。
【発明の詳細な説明】
【技術分野】
【０００１】
本発明は、一般工事に使用される排水用ポンプ装置に関するものである。
【背景技術】
【０００２】
工事に使用される排水用ポンプ装置は一般にレンタルされており、当該一般にレンタルされている排水用ポンプ装置で４００Ｗ（１２０リットル／分）、市販されているもので５０Ｗ（１０リットル／分）が、低排水量となっている。
【０００３】
そして、上記以下の小排水量では未だ商品化されてはおらず、よって上記以下の小排水量のときでも、前記の排水用ポンプをレンタルして使用しなければならなかった。
【０００４】
しかし、このような従来の使用状況であると、排水量に見合った電力消費にはなっておらず、特に長時間の使用ではきわめて電力の使用コストが大きいものとなってしまう。
【０００５】
また、５０Ｗ（１０リットル／分）未満の従来のポンプ装置を使用しようとすると、例えば以下のような課題が生じる。
【０００６】
すなわち、
（１）排水に混入する微細なゴミが特にポンプ内に多く残留してしまい、これにより弁が詰まったりし、その結果ポンプ内が閉塞したり、ときには運転不能に陥ることさえあった。
（２）従来ポンプの吸込み側に、例えばポンプが連続運転するのに必要なフィルタを設けると、短期間で容量一杯となり、目詰まりを起こし、運転不能に陥ることがあった（特開２００５−１１８６９６号公報参照）。
（３）振動式や圧縮空気等での逆洗方式によりフィルタの目詰まり防止が考えられるが、この場合には別の動力を必要とし、それを組み込んだ製作コストや省エネの点で経済的効果が発揮しにくい。
【特許文献１】特開２００５−１１８６９６号公報  図１
【発明の開示】
【発明が解決しようとする課題】
【０００７】
かくして、本発明は前記従来の課題に対処するために創案されたものであり、排水に混入する微細なゴミがポンプ内に残留することがなく、よって弁が詰まったりしないためポンプ内も閉塞することがなく、さらに吸引口にフィルタを装着するが、該フィルタの目詰まり防止につき、別の動力源を必要とせず、もって製作コストも安価にしうる排水用ポンプ装置を提供することを目的とするものである。
【課題を解決するための手段】
【０００８】
本発明は、吸引口がポンプ本体の下部側に、吐出口がポンプ本体の上部側に設けられたポンプと、
前記ポンプの吸引口を覆うフィルタと、該フィルタへの付着物を収納する、前記ポンプの下方位置に設置された収納容器と、    
前記ポンプと収納容器との間に設けられ、ポンプの作動時振動を許容する振動許容部材と、
を備え、
前記フィルタへの付着物は、前記ポンプの作動時震動により離脱し収納容器へ収納される、
ことを特徴とし、
または、
吸引口がポンプ本体の下部側に、吐出口がポンプ本体の上部側に設けられたポンプと、
前記ポンプの吸引口を覆うフィルタと、該フィルタへの付着物を回収すると共に外部排水を貯留する、前記ポンプの下方位置に設置された収納容器と、    
前記ポンプと収納容器との間に設けられ、ポンプの作動時振動を許容する振動許容部材と、
を備え、
前記フィルタへの付着物は、前記外部排水中に浸されたフィルタから前記付着物が前記ポンプの作動時震動により離脱し収納容器へ収納される、
ことを特徴とし、
または、
前記ポンプはダイヤフラムポンプであることを特徴とし、
または、
前記フィルタは燒結金属で構成されたことを特徴とするものである。
【発明の効果】
【０００９】
本発明による排出ポンプ装置によれば、排水に混入する微細なゴミがポンプ内に残留することがなく、よって弁が詰まったりしないためポンプ内も閉塞することがない。  またポンプの吸引口にフィルタを装着するが、該フィルタの目詰まり防止につき、別の動力源を設ける必要がないため、ポンプ装置自体の製作コストを安価にすることができるなど優れた効果を奏する。
【発明を実施するための最良の形態】
【００１０】
以下、本発明による排水用ポンプ装置につき図を参照して説明する。
【００１１】
図１に本発明の第１実施例を示す。符号１はダイヤフラムポンプを示す。該ダイヤフラムポンプ１の吐出口２はポンプ本体２１の上方側に位置するよう設けられ、吸引口３はポンプ本体２１の下部側に位置するよう設けられている。
【００１２】
また、ダイヤフラムポンプ１の底面には水平方向へ向かい円板状に張り出すベースプレート４がポンプ本体２１と一体的に設けられており、該ベースプレート４の下側にはリング状のフランジ５を介して略円板状に形成されたフィルタ６が取り付けられている。このフィルタ６を形成する部材については何ら限定されるものではなく、不織布、セルロースなどの薄膜、ポリプロピレンなどの繊維部材などの使用が考えられ、あるいはこれらを組み合わせての使用が考えられ、これらの形状を略円板状に形成することが考えられる。
【００１３】
そして、取り付けられているフィルタ６の下側には前記ダイヤフラムポンプ１の作動時に生じるダイヤフラムポンプ自体の振動を許容すべく振動許容部材７が設置されている。
【００１４】
ここで、振動許容部材７は、図１から理解されるように、リング状をなす上部取付片８および下部取付片９と、前記上部取付片８および下部取付片９の間に設置される例えば防振ゴムなどで円筒状に構成された弾性部材１０を備えて、通常これらは一体的にされて構成されている。なお、上部取付片８および下部取付片９についても防振ゴムなどで構成された弾性部材１０と同様に防振ゴムなどで構成しても構わない。
【００１５】
また、フィルタ６は前述のように、ダイヤフラムポンプ１の下側位置で、当該ダイヤフラムポンプと一体的に接続されて取り付けられているため、ダイヤフラムポンプ１が作動することにより起こるダイヤフラムポンプ１自体の振動はフィルタ６にもダイレクトに伝わるよう構成されている。
【００１６】
従って、フィルタ６に付着した付着物２０は、ダイヤフラムポンプ１の作動による振動でフィルタ６自体も例えば上下に振動し、当該振動によって離脱し、落下することになる。
【００１７】
ここで、前述した振動許容部材７の下側には略コップ型をなす収納容器１１が接続されて設けられており、フィルタ６から落下する付着物２０を収納するよう構成されている。
【００１８】
このように、振動許容部材７の下部取付片９と収納容器１１の上部取付片１２とが連結され、最終的にはダイヤフラムポンプ１、フィルタ６、振動許容部材７および収納容器１１が一体的に接続され、本実施例の排水ポンプ装置が構成されるものとなる。
【００１９】
なお、この収納容器１１には前記ダイヤフラムポンプ１の吸引口３に連通する第２吸引口１３が、本実施例では収納容器１１の上部取付片１２に設けられており、該第２吸引口１３から吸引された、例えば外部排水１９は収納容器１１内に貯留され、貯留された外部排水１９はフィルタ６を通過して濾過され、ダイヤフラムポンプ１内に入る。そして、吐出口２から排出されるものとなる。
【００２０】
ここで、第２吸引口１３から吸引された外部排水１９は、収納容器１１の内部のみならず、振動許容部材７の内部およびフィルタ６を跨いでリング状をなすフランジ５の内部まで貯留される。
【００２１】
よって、前記フィルタ６は外部排水１９中に水没状態となり、その状態でダイヤフラムポンプ１の作動時震動を受け、上下に振動する。すると、フィルタ６は水中で洗浄される状態とほぼ同じ状態となり、フィルタ６への付着物２０が容易に離脱し、下側へ落下するものとなる。
【００２２】
このように本発明ではポンプの作動時に生ずる作動振動を積極的に利用し、この振動と共に、外部排水１９中に水没させることでフィルタ６へ付着した付着物２０が離脱しやすくさせたことと相まって適用し、もって前記付着物２０をフィルタ６からスムーズに取り除く構成としている。
【００２３】
しかして、このような構成を採用すれば、特に従来のようにフィルタ６に付着した付着物２０を取り除く他の動力源を必要とすることなく、排水作業を行いながら（ポンプを作動させながら）、同時にフィルタ６を洗浄することとして、その付着物２０を除去する作業を行うことができるのである。
【００２４】
ところで、図１において、符号１４は排出用バルブを示し、収納容器１１の底に溜まったフィルタ６への付着物２０、すなわち堆積したゴミをこの排出用バルブ１４を開けて外部に排出するものとしている。
【００２５】
次に、図２を参照して、本発明の第２実施例につき説明する。
【００２６】
図２において、ダイヤフラムポンプ１は上側に設置される。そして下側には第１実施例と同様に収納容器１１が設置される。
【００２７】
ここで、ダイヤフラムポンプ１の底面からは水平方向に張り出す張り出し片１５が設けられており、該張り出し片１５は収納容器１１の上蓋１６上に載置され、固定具１７により固定される。
【００２８】
収納容器１１は円筒コップ状をなし、前記ダイヤフラムポンプ１が固定された上蓋１６は振動許容部材７を介して収納容器１１の上端に取り付けられている。  
本実施例における振動許容部材７は柔軟性を有するゴム材あるいは合成樹脂材などで略リング状に構成され、前記上蓋１６と収納容器１１とは複数個の上蓋固定部材１８により固定される。
【００２９】
ダイヤフラムポンプ１の吸引口３は前記上蓋１６を貫通して下側に向けて設けられており、該吸引口１６には例えば逆円錐台状をなすフィルタ６が装着されている。
【００３０】
該フィルタ６の構成部材については何ら限定はないが、本実施例では燒結金属より構成されたフィルタ６が使用される。
【００３１】
燒結金属としては、例えば金属繊維が３次元立体的な不織布構造を持っており、耐久性の高いステンレススチール繊維の燒結品がフィルタ６として好ましいといえる。
【００３２】
均一で細い構造のため、非常に多孔質なものになっており、液体やガスにかかわらず、ろ過の効率を最大限にし、高温・高圧下でも効率は落ちない。そして、１ミクロンから７５ミクロンなどの幅広いもののろ過に対応可能とされている。
【００３３】
すなわち、燒結金属によるフィルタ６は、高耐熱・耐食性、すぐれた耐久・洗浄性、高空隙率、耐圧縮性、高い異物捕集能力、長ろ過寿命、ゲル・微粒子も効率的に除去、幅広いろ過に対応可能との効果を奏するのである。
【００３４】
なお、本実施例において、第２吸引口１３は上蓋１６を貫通するようにして収納容器１１の上側に形成されている。
【００３５】
しかして本実施例の使用状態につき説明すると、外部排水１９は前記第２吸引口１３から吸引されて収納容器１１内において上蓋１６の位置まで貯留される。
【００３６】
収納容器１１内いっぱいに貯留された外部排水１９は例えば燒結金属で構成されたフィルタ６を通過して濾過され、ダイヤフラムポンプ１内に入る。そして、吐出口２から排出されるものとなる。
【００３７】
ここで、第２吸引口１３から外部より吸引された外部排水１９は、収納容器１１の内部一杯に、すなわち上蓋１６の近くまで貯留されることすでに述べたとおりである。
【００３８】
従って、前記フィルタ６は外部排水１９中に水没状態となり、その状態でダイヤフラムポンプ１の作動時震動を受け、上下に振動する。すると、フィルタ６は水中で洗浄される状態とほぼ同じ状態となり、フィルタ６への付着物２０が容易に離脱し、下側へ落下するものとなる。
【００３９】
このように本実施例ではポンプの作動時に生ずる作動振動を積極的に利用し、この振動と共に、外部排水１９中に水没させることでフィルタ６へ付着した付着物２０が離脱しやすくさせたことと相まって適用し、もって前記付着物２０をフィルタ６からスムーズに取り除く構成としていること第１実施例と同様である。
【００４０】
しかして、このような構成を採用すれば、第１実施例と同様に、従来のようにフィルタ６に付着した付着物２０を取り除く他の動力源を必要とすることなく、排水作業を行いながら（ポンプを作動させながら）、同時にフィルタ６を洗浄することとして、その付着物２０を除去する作業を行うことができるのである。
【産業上の利用可能性】
【００４１】
本発明においては、ポンプ装置は、ダイヤフラムポンプに限定されるものではなく、容積式ポンプあるいは非容積式ポンプのいずれのポンプであってもかまわない。従って、容積式ポンプにあっては、渦巻きポンプ、タービンポンプ、スラリーポンプ、自吸式ポンプ、水中ポンプ、軸流ポンプ、斜流ポンプ、カスケードポンプであってもかまわないし、非容積式ポンプにあっては、ピストンポンプ、プランジャポンプ、ウイングポインプ、ギヤーポンプ、偏心ポンプ、ネジポンプであってもかまわないものである。
【図面の簡単な説明】
【００４２】
【図１】本発明による第１実施例の構成を説明する構成説明図である。
【図２】本発明による第１実施例の構成を説明する平面図である。
【図３】本発明による第２実施例の構成を説明する構成説明図である。
【図４】本発明による第２実施例の構成を説明する平面図である。
【符号の説明】
【００４３】
１      ダイヤフラムポンプ
２      吐出口
３      吸引口
４      ベースプレート
５      フランジ
６      フィルタ
７      振動許容部材
８      上部取付片
９      下部取付片
１０    弾性部材
１１    収納容器
１２    収納容器の上部取付片
１３    第２吸引口
１４    排水用バルブ
１５    張り出し片
１６    上蓋
１７    固定具
１８    上蓋固定部材
１９    外部排水
２０    付着物
２１    ポンプ本体
【図１】
0004462558.tif 000002
【図２】
0004462558.tif 000003
【図３】
0004462558.tif 000004
【図４】
0004462558.tif 000005